(57)【要約】【課題】刈取装置内に滞留した藁屑等を外部に容易に排出できるコンバインを提供する。【解決手段】刈取装置（４）の左右外側部を覆うサイドカバー（１１ａ、１１ｂ）の後縁部を、側面視において引起装置（１１）の上部と刈刃装置（１２）の後方に配置された伝動ケース（１５ａ）を連結するフレーム（１７ａ，１７ｂ）よりも前方に偏倚させて配置することのより解決される。【選択図】図３
2013226097.tif 000002
【特許請求の範囲】
【請求項１】
機体の前側に配置された刈取装置（４）に、穀稈を左右に分草する分草体（１０）と、穀稈を引起す引起装置（１１）と、該引起装置（１１）によって引起された穀稈を刈取る刈刃装置（１２）を備えるコンバインにおいて、
前記刈取装置（４）の左右外側部を覆うサイドカバー（１１ａ、１１ｂ）の後縁部を、側面視において前記引起装置（１１）の上部と刈刃装置（１２）の後方に配置された伝動ケース（１５ａ）を連結するフレーム（１７ａ，１７ｂ）よりも前方に偏倚させて配置し、該サイドカバー（１１ａ、１１ｂ）の後縁部とフレーム（１７ａ，１７ｂ）の間に、刈取装置（４）内の藁屑を外部へ排出する開口部を形成したことを特徴とするコンバイン。
【請求項２】
前記サイドカバー（１１ａ、１１ｂ）の後縁の下端部を、側面視において前記伝動ケース（１５ａ）の左右側端部に配置された刈刃伝動ボックス（２６）の前方に配置した請求項１記載のコンバイン。
【請求項３】
前記サイドカバー（１１ａ、１１ｂ）の下縁を、側面視において前記分草体（１０）を支持する分草フレーム（１６）の上方に配置し、
側面視において、該左右のサイドカバー（１１ａ、１１ｂ）のうちの刈取装置（４）の未刈地側に設けられる第１サイドカバー（１１ａ)の下縁を、既刈地側に設けられる第２サイドカバー（１１ｂ）の下縁よりも高い位置に配置した請求項１又は２記載のコンバイン。
【請求項４】
前記刈刃装置（１２）の外側端部を上側から覆う刈刃カバー（２７，２７）を備え、該刈刃カバー（２７，２７）の後縁部を、平面視において後側の部位ほど刈刃装置（１２）側の外側端部に近づくように傾斜させた請求項１〜３のいずれか１項に記載のコンバイン。
【請求項５】
前記刈刃伝動ボックス（２６）から上向きに突設したクランク軸（２６ａ）から前記刈刃装置（１２）を連動する揺動腕（２３，２５）を、該刈刃装置（１２）の上側に配置した請求項１〜４のいずれか１項に記載のコンバイン。
【発明の詳細な説明】
【技術分野】
【０００１】
本発明は、コンバインに関するものである。
【背景技術】
【０００２】
刈取作業を安全、円滑に行なうために、特許文献１には、刈取装置の側方にサイドカバーを有し、刈刃装置の両側にカバーを配置し、該カバーの下縁を地表面に対して略平行な形状とし、カバーの上部に藁屑等を排出する排出孔を開口したコンバインが開示されている。
【先行技術文献】
【特許文献】
【０００３】
【特許文献１】特開２０１０―１５４７５９号公報
【発明の概要】
【発明が解決しようとする課題】
【０００４】
しかし、特許文献１記載の発明におけるコンバインは、刈取装置の両側に配置したサイドカバーの後縁が引起装置にエンジンの回転を伝動する縦伝動筒まで臨んでいるために、刈取装置内に滞留した藁屑等を外部に容易に排出できず、刈取装置内に詰まった藁屑等を除去するために刈取作業を中断する必要があった。
【０００５】
そこで、本発明の主たる課題は、かかる問題点を解消することにある。
【課題を解決するための手段】
【０００６】
上記課題を解決した本発明は次記のとおりである。
請求項１に係る発明は、機体の前側に配置された刈取装置（４）に、穀稈を左右に分草する分草体（１０）と、穀稈を引起す引起装置（１１）と、該引起装置（１１）によって引起された穀稈を刈取る刈刃装置（１２）を備えるコンバインにおいて、
前記刈取装置（４）の左右外側部を覆うサイドカバー（１１ａ、１１ｂ）の後縁部を、側面視において前記引起装置（１１）の上部と刈刃装置（１２）の後方に配置された伝動ケース（１５ａ）を連結するフレーム（１７ａ，１７ｂ）よりも前方に偏倚させて配置し、該サイドカバー（１１ａ、１１ｂ）の後縁部とフレーム（１７ａ，１７ｂ）の間に、刈取装置（４）内の藁屑を外部へ排出する開口部を形成したことを特徴とするコンバインである。
【０００７】
請求項２に係る発明は、前記サイドカバー（１１ａ、１１ｂ）の後縁の下端部を、側面視において前記伝動ケース（１５ａ）の左右側端部に配置された刈刃伝動ボックス（２６）の前方に配置した請求項１記載のコンバインである。
【０００８】
請求項３に係る発明は、前記サイドカバー（１１ａ、１１ｂ）の下縁を、側面視において前記分草体（１０）を支持する分草フレーム（１６）の上方に配置し、側面視において、該左右のサイドカバー（１１ａ、１１ｂ）のうちの刈取装置（４）の未刈地側に設けられる第１サイドカバー（１１ａ)の下縁を、既刈地側に設けられる第２サイドカバー（１１ｂ）の下縁よりも高い位置に配置した請求項１又は２記載のコンバインである。
【０００９】
請求項４に係る発明は、前記刈刃装置（１２）の外側端部を上側から覆う刈刃カバー（２７，２７）を備え、該刈刃カバー（２７，２７）の後縁部を、平面視において後側の部位ほど刈刃装置（１２）側の外側端部に近づくように傾斜させた請求項１〜３のいずれか１項に記載のコンバインである。
【００１０】
請求項５に係る発明は、前記刈刃伝動ボックス（２６）から上向きに突設したクランク軸（２６ａ）から前記刈刃装置（１２）を連動する揺動腕（２３，２５）を、該刈刃装置（１２）の上側に配置した請求項１〜４のいずれか１項に記載のコンバインである。
【発明の効果】
【００１１】
請求項１記載の発明によれば、サイドカバー（１１ａ、１１ｂ）の後縁部を、側面視においてフレーム（１７ａ，１７ｂ）よりも前方に偏倚させて配置しているので、刈取装置（４）内に滞留した藁屑等をサイドカバー（１１ａ、１１ｂ）の後縁の下側と縦伝動筒（１７）の間に形成された開口部から外部に排出でき、連続して刈取作業を行なうことができる。
【００１２】
請求項２記載の発明によれば、請求項１記載の発明の効果に加えて、サイドカバー（１１ａ、１１ｂ）の後縁の下端部を、側面視において刈刃伝動ボックス（２６）の前方に配置しているので、刈取装置（４）内に滞留した藁屑等の刈刃伝動ボックス（２６）への絡まりを防止し、藁屑等を外部に効率的に排出することができる。
【００１３】
請求項３記載の発明によれば、請求項１又は２記載の発明の効果に加えて、未刈地側に設けられる第１サイドカバー（１１ａ)の下縁を、既刈地側に設けられる第２サイドカバー（１１ｂ）の下縁よりも高い位置に配置しているので、刈取装置（４）内に滞留した藁屑等を第１サイドカバー（１１ａ）の下縁と分草フレーム（１６）の間に形成された隙間から外部に排出でき、第２サイドカバー（１１ｂ）の下縁と分草フレーム（１６）の間に形成された隙間からの異物の侵入を防止し、刈刃装置（１２）等の破損による作業中断を回避することができる。
【００１４】
請求項４記載の発明によれば、請求項１〜３のいずれか１項に記載の発明の効果に加えて、刈刃カバー（２７，２７）の後縁部を、平面視において後側の部位ほど刈刃装置（１２）側の外側端部に近づくように傾斜させているので、コンバインの後進時に、未刈穀桿の刈刃カバー（２７，２７）への絡まりを軽減することができる。
【００１５】
請求項５記載の発明によれば、請求項１〜４のいずれか１項に記載の発明の効果に加えて、クランク軸（２６ａ）から刈刃装置（１２）を連動する揺動腕（２３，２５）を、刈刃装置（１２）の上側に配置しているので、軸（２６ａ）、揺動腕（２３，２５）等への泥の付着を防止し、土壌面と軸（２６ａ）、揺動腕（２３，２５）等の衝突を防止することができる。
【図面の簡単な説明】
【００１６】
【図１】コンバインの右側面図である。
【図２】コンバインの平面図である。
【図３】刈取装置の左側面図である。
【図４】刈取装置の右側面図である
【図５】刈取装置の刈刃装置の平面図である。
【図６】刈取装置の刈刃装置の左側面図である。
【図７】刈取装置の要部左側面図である。
【図８】刈取装置の要部正面図である。
【図９】穂先搬送装置の平面図である。
【図１０】グレンタンクの要部伝動平面図である。
【図１１】グレンタンクの要部伝動右側面図である。
【図１２】グレンタンクの要部伝動正面図である。
【発明を実施するための形態】
【００１７】
以下、本発明の実施形態について添付図面を参照しつつ詳説する。なお、理解を容易にするために便宜的に方向を示して説明しているが、これらにより構成が限定されるものではない。
【００１８】
コンバインは、図１，２に示すように、機体フレーム１の下方には土壌面を走行する左右一対のクローラからなる走行装置２が設けられ、機体フレーム１の上方左側には脱穀・選別を行う脱穀装置３が設けられ、脱穀装置３の前方には圃場の穀桿を収穫する刈取装置４が設けられている。脱穀装置３で脱穀・選別された穀粒は脱穀装置３の右側に設けられたグレンタンク５に貯留され、貯留された穀粒は排出筒７により外部へ排出される。
また、機体フレーム１の上方右側には操作者が搭乗する操作部を備えた運転席６が設けられ、運転席６の下側のエンジンルームにはエンジンＥが配置されている。
【００１９】
刈取装置４は、立毛する穀稈を左右に分草する分草体１０と、分草後の穀稈を引起す引起装置１１と、引起し後の穀稈を掻き込む掻込装置１３と、この掻込装置１３で掻き込まれる穀稈を刈取る刈刃装置１２と、刈取後の穀稈を掻込搬送する搬送装置１４等からなり、機体フレーム１に対し上下動可能な伝動軸を内装する伝動筒１５を介して上下方向に昇降する構成としている。
【００２０】
分草体１０は、伝動筒１５の先端に設けられた伝動ケース１５ａから前側に延びる分草フレーム１６の先端に設けられている。また、引起装置１１を駆動する引起上部伝動筒１１ｃは、その左端部が、伝動ケース１５ａの左端部近傍に設けられた伝動軸を内装する縦伝動筒（フレーム）１７ａの上端に連結されている。また、引起上部伝動筒１１ｃの右端部近傍の部位には、伝動ケース１５ａの右端部近傍から上方へ延出される右側フレーム（フレーム）１７ｂが連結されている。
【００２１】
（サイドカバー）
操作者の手先等と駆動部の接触を防止し安全性を高めるために、最左側の引起装置１１の左側にはサイドカバー（第１サイドカバー）１１ａが設けられ、最右側の引起装置１１の右側にはサイドカバー（第２サイドカバー）１１ｂが設けられている。
サイドカバー１１ａは、前縁部が最左側の引起装置１１の左側端部に、下側の後縁部が分草フレーム１６の基部に、それぞれボルト等の締結手段によって着脱自在に取付けられている。また、サイドカバー１１ｂは、前縁部が最右側の引起装置１１の右側端部に、下側の後縁部が分草フレーム１６の基部に、それぞれ着脱自在に取付けられている。
【００２２】
刈取装置４内に滞留する藁屑等を外部に排出し、能率良く穀桿を刈取るために、図３に示すように、サイドカバー１１ａの前縁は、引起装置１１の上部から引起装置１１の前面に沿って下側前方に向かって延在し、後縁は、引起装置１１の上部から緩やかに後下がり傾斜した後、後縁の略上下中央部から後下がり傾斜して縦伝動筒１７の前方に延在し、刈刃伝動ボックス２６の前方に臨んでいる。また、サイドカバー１１ａの下縁は、前縁から略前後中心部に向かって後下がり傾斜した後、後上がり傾斜して後縁に延在して分草フレーム１６の上方に延在している。
【００２３】
同様に、図４に示すように、サイドカバー１１ｂの前縁は、引起装置１１の上部から引起装置１１の前面に沿って下側前方に向かって延在し、後縁は、引起装置１１の上部から緩やかに後下がり傾斜した後、後縁の略上下中央部から後下がり傾斜して縦伝動筒１７の前方に延在し、刈刃伝動ボックス２６の前方に臨んでいる。また、サイドカバー１１ｂの下縁は、前縁から略前後中心部に向かって後下がり傾斜した後、後上がり傾斜して後縁に延在して分草フレーム１６の上方に延在している。
なお、本実施形態にあっては、サイドカバー１１ａとサイドカバー１１ｂを略同一形状に形成しているが、掻込装置１３、搬送装置１４等の穀桿合流部から藁屑等を外部により能率良く排出するために、サイドカバー１１ａの下縁の傾斜を急にして側面視においてサイドカバー１１ａの下縁と分草フレーム１６の間に形成される空間を、サイドカバー１１ｂの下縁と分草フレーム１６の間に形成される空間よりも大きく形成するのが好適である。
【００２４】
（前照灯）
部品点数を削減して製作コストを低減するために、左右前照灯１８ａ，１８ｂは、図１に示すように、左サイドカバー１１ａ，１１ｂと共に、最左右引起装置１１，１１に共締めされている。また、刈取作業を能率良く行なうために、サイドカバー１１ｂと共締めされる右前照灯１８ｂを、側面視において左前照灯１８ａよりも後方に配置して最右側分草体１１を照明させる。一方、サイドカバー１１ａと共締めされる左前照灯１８ａは、右前照灯１８ｂよりも後方に配置してコンバインの進行方向の前方を照明させるのが好適である。
【００２５】
（刈刃装置）
刈刃装置１２は、掻込装置１３で掻込まれた穀桿の株元を切断する装置であり、側面視において前部から基部に向かって後上がり傾斜して配置している。左右一対の刈刃装置１２は、図５，６に示すように、固定状態の下刃２０と、下刃２０を支持する刈刃プレート２２と、下刃２０と刈刃プレート２２によって形成された隙間を左右方向に往復摺動する上刃２１から構成されている。
【００２６】
刈刃プレート２２の後側には、縦軸２４ａが形成されたブラケット２４が配置されている。中央部が縦軸２４ａに回転自在に支持された揺動腕２３の先端部は、上刃２１の基部の外側の端部に形成された凹部２１ａに嵌入され、後端部は、エンジンＥの回転が伝動された揺動腕２５の先端部に連結されている。
【００２７】
揺動腕２５の後端部は、伝動ケース１５ａの両端部に設けられたエンジンＥの回転を伝動する刈刃伝動ボックス２６のクランク軸２６ａに連結されている。揺動腕２５の先端部は、刈刃伝動ボックス２６のクランク縦軸２６ａを中心として左右方向に往復揺動して揺動腕２３の先端部をブラケット２４の縦軸２４ａを中心として左右方向に往復揺動させる。また、揺動腕２３の先端部が左右方向に往復揺動して上刃５１を下刃２０と刈刃プレート２２の間で左右方向に往復移動させる。
なお、クランク軸２６ａへの泥の付着を防止し、刈刃伝動ボックス２６と土壌面の衝突を防止するために、クランク軸２６ａは、左右に延在する伝動ケース１５ａ対して上側に向かって延在している。また、刈刃装置１２は、本実施形態に限定されることはなく、伝動機構を簡易にするために、左側に位置する上刃と右側に位置する上刃を一体に形成し、一体形成された上刃を左右に往復摺動させる構成とすることもできる。
【００２８】
操作者のつま先等と駆動部の接触を防止し安全性を高めるために、左右一対の刈刃装置１２の左右外側には、それぞれ刈刃カバー２７が配置されている。
コンバインの後進時に、未刈穀桿の刈刃カバー２７への絡まりを防止するために、平面視において、刈刃カバー２７の後部を外側から内側に向かって傾斜させて形成している。すなわち、刈刃カバー２７の前部を内側から外側に向かって傾斜させた後、中間部を後方に向かって水平に延在させた後、後部を外側から内側に向かって傾斜させて形成している。また、側面視において、刈刃カバー２７の後部を下側から上側に向かって傾斜させて形成している。すなわち、刈刃カバー２７の前部を上側から下側に向かって傾斜させた後、中間部を後方に向かって水平に延在させた後、後部を下側から上側に向かって傾斜させて形成している。
【００２９】
（引起装置）
搬送される穀桿の脱粒を防止するために、引起装置１１の上部カバーの前下部の搬送通路部分を切欠いて端部を後方に向かって折り曲げるのが好適である。また、穀桿の引起搬送中に発生する振動、騒音を低減するために、図７，８に示すように、掻込装置１３を吊持する掻込みフレーム３０を左右中間部位に配置された引起装置１１の後面を架設する鋼材から成るステー３１を介して引起装置１１の上部後面に支持して、引起装置１１の剛性
を高める。なお、引起装置１１には、一定の間隔で倒伏可能なラグ３２ａを有するチェン３２が内装されている。
【００３０】
（搬送装置）  
穀桿の引起搬送中に発生する振動、騒音を低減するために、図９に示すように、掻込装置１３の上部後方に配置された搬送装置１４の上下側カバー４０ａ，４０ｂの非作用側に切欠き部４１を設ける。なお、掻込装置１３には、一定の間隔でラグ４２ａを有するチェン４２が内装されている。
【００３１】
（グレンタンク）  
部品点数を削減し、省スペース化を図るために、図１０，１１に示すように、グレンタンク５の前側には、エンジンＥに支持されたプーリ５０とグレンタンク５の前面に設けられた駆動軸５１ａに支持されたプーリ５１に巻掛けられたベルト５５が配置されている。
部品点数を削減するために、先端部にベルト５５を押圧するテンションロール５２ａを有するテンションアーム５２の基部が、駆動軸５１ａを軸支するブラケット５３に回転自在に取付けられている。
また、ブラケット５３のプーリ５１とは反対側の端部には、オイルバス方式のベベルギヤボックス５４を配置し、オイルを注入するために、ベベルギヤボックス５４の上面に着脱自在な蓋５４ａを配置している。
【００３２】
グレンタンク５の開閉を容易に行なうために、図１２に示すように、グレンタンク５の前面に配置されたレバー５６を開放位置に時計方向に移動させると、レバー５６の基部を支持する非円形状に形成されたカム５６ａが軸５６ｂを中心に時計方向に回転し、カム５６ａの下側に配置されたピン５７と非接触となる。ピン５７は、ピン５７の下側に付設されたバネによって上側に移動してロック状態が外れ、後部の支点としてグレンタンク５の前部を外側に移動することができる。
また、カム５６ａの時計方向への回転に伴って、カム５６ａの下側に配置されたテンションアーム５８が上側に移動し、テンションアーム５８の先端に設けられたテンションロール５８ａも上側に移動する。これにより、ベベルギヤボックス５４に支持されたプーリ５９とグレンタンク５の底部に配置されたオーガー螺旋軸６０ａに支持されたプーリ６０に巻掛けられたベルト６１の張力を弱めて、ベルト６１をプーリ５９から外してグレンタンク５の前部を外側に移動することができる。
【００３３】
一方、グレンタンク５の前部を内側に移動させて機内に収納した後、レバー５６を収納位置に反時計方向に移動させると、カム５６ａが軸５６ｂを中心に反時計方向に回転し、カム５６ａがピン５７を押圧する。押圧されたピン５７は下側に移動してロック状態となり、グレンタンク５の前部の外側に移動を防止する。
また、カム５６ａの反時計方向への回転に伴って、カム５６ａがテンションアーム５８を押圧し、テンションアーム５８が下側に移動し、テンションロール５８ａも下側に移動する。これにより、プーリ５９とプーリ６０に巻掛けられたベルト６１の張力は強めて、エンジンＥの回転をベルト６１等を介してオーガー螺旋軸６０ａに伝達することができる。
【産業上の利用可能性】
【００３４】
本発明は、農業用作業車輌に適用できるものである。
【符号の説明】
【００３５】
４          刈取装置
１０        分草体
１１        引起装置
１１ａ      サイドカバー（第１サイドカバー）
１１ｂ      サイドカバー（第２サイドカバー）
１２        刈刃装置
１５ａ      伝動ケース
１６        分草フレーム
１７ａ      縦伝動筒（フレーム）
１７ｂ      右側フレーム（フレーム）
２３        揺動腕
２５        揺動腕
２６        刈刃伝動ボックス
２６ａ      クランク軸
２７        刈刃カバー
Ｅ          エンジン
【図１】
2013226097.tif 000003
【図２】
2013226097.tif 000004
【図３】
2013226097.tif 000005
【図４】
2013226097.tif 000006
【図５】
2013226097.tif 000007
【図６】
2013226097.tif 000008
【図７】
2013226097.tif 000009
【図８】
2013226097.tif 000010
【図９】
2013226097.tif 000011
【図１０】
2013226097.tif 000012
【図１１】
2013226097.tif 000013
【図１２】
2013226097.tif 000014